【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
複数のチャプターに区分された一連の動画のうち、特定のチャプターの区間を消去するための第１の指示を受け付ける第１の受付手段と、
前記第１の受付手段により前記第１の指示を受け付けると、消去対象であるチャプターの区間の動画を再生する再生手段と、
前記再生手段で前記消去対象であるチャプターの区間の再生を開始した後に、前記消去対象であるチャプターの区間の消去を実行する第２の指示を受け付ける第２の受付手段と、
前記第２の受付手段により前記第２の指示を受け付けたことに応じて前記動画のうち前記消去対象であるチャプターの区間を消去する消去手段と、を有し、
前記再生手段は、前記第２の受付手段が前記第２の指示を受け付けるまで、前記消去対象であるチャプターの区間の再生を自動的に繰り返すことを特徴とする動画処理装置。
【請求項２】
前記第１の受付手段により前記第１の指示を受け付けたことに応じて、前記消去対象であるチャプターの消去を実行するか否かを確認する確認画面を表示するように制御する表示制御手段をさらに有し、
前記再生手段は、前記確認画面を表示した状態で前記消去対象であるチャプターの区間を再生することを特徴とする請求項１に記載の動画処理装置。
【請求項３】
前記表示制御手段は、前記確認画面に前記消去対象であるチャプターの区間の消去の実行をユーザが選択できるダイアログを表示することを特徴とする請求項２に記載の動画処理装置。
【請求項４】
前記消去手段によってチャプターの区間が消去されると、前記動画は、消去されたチャプターの前の区間の終わりと、消去されたチャプターの後の区間の先頭が結合された動画となることを特徴とする請求項１ないし３のいずれか一項に記載の動画処理装置。
【請求項５】
前記再生手段は、前記第１の受付手段により前記第１の指示を受け付けたときに表示していたフレーム画像が含まれるチャプターの先頭から再生を開始することを特徴とする請求項１ないし４のいずれか一項に記載の動画処理装置。
【請求項６】
前記再生手段が前記消去対象であるチャプターの区間を再生している間は、前記動画の音声を発音しないことを特徴とする請求項１ないし５のいずれか一項に記載の動画処理装置。
【請求項７】
動画を撮影し記録媒体に記録する動画撮影手段と、
動画撮影時に自動的にチャプター情報を付与するチャプター情報付与手段と、をさらに有することを特徴とする請求項１ないし６のいずれか一項に記載の動画処理装置。
【請求項８】
前記動画は、静止画を撮影する度に、静止画撮影直前を含む所定時間分の動画を１つの動画ファイルに追記していくことによりできた、各静止画に対応するチャプターの区間が連結された動画であることを特徴とする請求項１ないし７のいずれか一項に記載の動画処理装置。
【請求項９】
前記第１の受付手段は、動画が再生される画面上に表示されるチャプター消去ボタンに対する操作を受け付け、
前記チャプター消去ボタンに対する操作を受け付けたことに応じて、前記再生手段は前記消去対象のチャプターの区間の再生を開始することを特徴とする請求項１ないし８のいずれか一項に記載の動画処理装置。
【請求項１０】
前記再生手段によって前記消去対象であるチャプターの区間を所定回数だけ繰り返した後は、所定のフレームを表示して再生を停止することを特徴とする請求項１に記載の動画処理装置。
【請求項１１】
前記消去対象であるチャプターの区間が所定時間以上の場合は、前記再生手段は、再生するフレームを間引いて再生することを特徴とする請求項１ないし１０のいずれか一項に記載の動画処理装置。
【請求項１２】
前記動画処理装置は、撮像手段を有する撮像装置であることを特徴とする請求項１ないし１１のいずれか一項に記載の動画処理装置。
【請求項１３】
複数の区間からなる一連の動画を再生する第１の再生手段と、
ユーザからの一時停止指示を受け付けたことに応じて、前記第１の再生手段により再生されている動画を一時停止し、当該一時停止した位置のフレーム画像を表示する一時停止手段と、
前記一時停止手段により一時停止した位置のフレーム画像が表示されている間に、ユーザから一連の動画の区間を消去するための第１の指示を受け付ける第１の受付手段と、
前記第１の受付手段により前記第１の指示を受け付けると、前記一時停止手段により表示されていた一時停止した位置のフレーム画像が含まれる区間の先頭から終わりまでを消去対象の区間として再生する第２の再生手段と、
前記第２の再生手段で前記消去対象である区間の再生を開始した後に、前記消去対象の区間の消去を実行する第２の指示を受け付ける第２の受付手段と、
前記第２の受付手段により前記第２の指示を受け付けたことに応じて前記動画のうち前記消去対象である区間を消去する消去手段と、を有することを特徴とする動画処理装置。
【請求項１４】
複数のチャプターに区分された一連の動画のうち、特定のチャプターの区間を消去するための第１の指示を受け付ける第１の受付工程と、
前記第１の受付工程により前記第１の指示を受け付けると、消去対象であるチャプターの区間の動画を再生する再生工程と、
前記再生工程で前記消去対象であるチャプターの区間の再生を開始した後に、前記消去対象であるチャプターの区間の消去を実行する第２の指示を受け付ける第２の受付工程と、
前記第２の受付工程により前記第２の指示を受け付けたことに応じて前記動画のうち前記消去対象であるチャプターの区間を消去する消去工程と、を有し、
前記再生工程では、前記第２の受付工程において前記第２の指示を受け付けるまで、前記消去対象であるチャプターの区間の再生を自動的に繰り返すことを特徴とする動画処理装置の制御方法。
【請求項１５】
複数の区間からなる一連の動画を再生する第１の再生工程と、
ユーザからの一時停止指示を受け付けたことに応じて、前記第１の再生工程により再生されている動画を一時停止し、当該一時停止した位置のフレーム画像を表示する一時停止工程と、
前記一時停止工程により一時停止した位置のフレーム画像が表示されている間に、ユーザから一連の動画の区間を消去するための第１の指示を受け付ける第１の受付工程と、
前記第１の受付工程により前記第１の指示を受け付けると、前記一時停止工程により表示されていた一時停止した位置のフレーム画像が含まれる区間の先頭から終わりまでを消去対象の区間として再生する第２の再生工程と、
前記第２の再生工程で前記消去対象である区間の再生を開始した後に、前記消去対象の区間の消去を実行する第２の指示を受け付ける第２の受付工程と、
前記第２の受付工程により前記第２の指示を受け付けたことに応じて前記動画のうち前記消去対象である区間を消去する消去工程と、を有することを特徴とする動画処理装置の制御方法。
【請求項１６】
コンピュータを、請求項１ないし１３のいずれか一項に記載された動画処理装置の各手段として機能させるためのプログラム。
【請求項１７】
コンピュータを、請求項１ないし１３のいずれか一項に記載された動画処理装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上記課題を解決し、目的を達成するために、本発明の動画処理装置は、複数のチャプターに区分された一連の動画のうち、特定のチャプターの区間を消去するための第１の指示を受け付ける第１の受付手段と、前記第１の受付手段により前記第１の指示を受け付けると、消去対象であるチャプターの区間の動画を再生する再生手段と、前記再生手段で前記消去対象であるチャプターの区間の再生を開始した後に、前記消去対象であるチャプターの区間の消去を実行する第２の指示を受け付ける第２の受付手段と、前記第２の受付手段により前記第２の指示を受け付けたことに応じて前記動画のうち前記消去対象であるチャプターの区間を消去する消去手段と、を有し、前記再生手段は、前記第２の受付手段が前記第２の指示を受け付けるまで、前記消去対象であるチャプターの区間の再生を自動的に繰り返す。